(57)【要約】【課題】    釘で遊技盤面に取付けられた風車の取付き状態は始動口周辺への遊技球の寄り具合と密接に関連し図柄表示装置の変動回数に大きな影響を及ぼしているが風車の取付き状態を確認する簡便で安価な計測用具が無いために勘に頼った調節が行われている。    遊技盤面と風車の円板部の隔たりの計測は一般的な物差しでも可能なときもあるが殆どが風車近傍に植設された遊技釘及び遊技盤面上の装飾類が障害となるために計測できない。【解決手段】    物差し形状の板であって遊技盤面への当接面に障害となる装飾類から逃れるための切欠き部を設け、該板で風車の円板部の高さに位置する部分にも切欠き部を設け、該切欠き部に面して目盛を表記することで風車近傍に植設された遊技釘からも逃れて計測することを可能とした。【選択図】図4
2009207720.tif 000002
【特許請求の範囲】
【請求項１】
パチンコ遊技機の遊技盤面に釘によって取付けられた風車の円板部の四方と遊技板面との隔たりを計測する用具で平たく物差し形状の板であって、計測に際して障害となる遊技盤面の風車近傍に植設された遊技釘と遊技盤面の装飾類から逃れて正確に計測するために該用具の1片に遊技盤面との当接面に障害物から逃れるための切欠き部を設けたこと、該切欠き部の反対側で風車の円板部の高さに合わせた位置にも切欠き部を設けたこと又、該切欠き部に面して目盛を表記した計測部を設けたこと、更に反対片にも当接面を設け前記の切欠き部より奥行きを深くした切欠き部を設け且つ風車の円板部の高さに合わせた位置に前記同様の目盛を表記した。これにより両片のいずれかを使用することにより多様な障害物から逃れて計測することを可能としたことを特徴とする用具。
【請求項２】
請求項1の計測用具であって、1片のみに計測部を設け、反対片に枢支孔を設けたもので、当接面の切欠き部の奥行きが異なる計測用具を枢支孔で重合したことを特徴とする用具。
【発明の詳細な説明】
【技術分野】
【０００１】
本発明はパチンコ機の遊技盤面に釘によって回転自在に取付けられた風
車の円板部と遊技盤面との隔たりを計測として風車の傾き等の取付き状態を確認する用具である。
【背景技術】
【０００２】
風車の傾き状況を確認する用具として（例えば、特許文献1、非特許文献1参照）は提案又、市販されている。
【特許文献１】特開2004−283502号公報（Ａ）
【非特許文献１】インターネット＜http://www.officejapan.net/＞製品情報検索、上達君釘調整ツール検索、上達君風車角度ゲージ。
【発明の開示】
【発明が解決しようとする課題】
【０００３】
風車の取付き状態計測で問題点は風車近傍に植設された多くの遊技釘と風車近傍まで迫る遊技盤面の装飾類が障害となり物差し等の計測用具が使えないことである。そのため釘調節者の勘に頼った推測による調節が主流となっている。
【０００４】
勘に頼った調節はパチンコ遊技機の図柄表示装置の変動回数が各遊技台ごとに不均衡となり遊技客に不公平感を与えていた。
【０００５】
風車が釘によって取付けられている遊技盤面との間には僅かの隙間を設けて風車が回転自在となるようにしてあるが背景技術の項で提案されている特許文献1の「遊技機の風車傾斜角計測ゲージ」は位置決め部を風車下へ導入する際に導入部の厚さの分だけでも風車の釘を引抜く作業が発生すると考えられる。
【０００６】
作業の一環で風車を任意の傾斜に調節しても引抜いた風車の釘は元に戻すために打付ける必要がある。打付け後の風車の傾斜状態は調節時の傾斜と異なった状態を呈することは明らかである。そのため、再度風車の釘を引抜き調節しなくてはならず繰返しの作業が発生する又、特に該ゲージに至っては風車近傍の遊技釘と遊技盤面に施された装飾類が障害となって現実的には計測に不向きな風車が多いと考えられる。
【０００７】
非特許文献1の「上達君風車角度ゲージ」は風車を取付けている釘の角度を計測する用具で市販されている唯一の用具と考えられるが釘の笠といわれる頭の部分の直径が約4ｍｍあり、その頭の芯を勘で探して計測しなくてはならない難しさがある又、計測後に風車を取付けている釘の打付けを推奨しているが計測後の釘の打付けは前記計測ゲージと同じく異なった取付き状態を呈することは明らかである。加えて何よりも高価である。
【課題を解決するための手段】
【０００８】
本発明「パチンコ遊技機風車高計測用具」（以下本計測用具と略称する）では風車の釘の角度を計測するのではなく、遊技盤面に取付けられた風車の円板部の四方と直近の遊技盤面との隔たりを計測して風車の取付き状態を確認する手段を採用した。
【０００９】
本計測用具は平たく物差し形状の板で、計測時に障害となる遊技盤面の装飾類から逃れるために遊技盤面と当接させる面に切欠き部を設けた。
【００１０】
切欠き部を削除した残りが遊技盤面との当接面となり、その当接面の長方は5ｍｍ程度から11ｍｍ程度の範囲でそれぞれ異なる当接面を持つ計測部を設けることで計測時に障害となる遊技盤面の多様な装飾類から逃れることができる。
【００１１】
又、風車近傍で障害となる遊技釘から逃れるため遊技盤面に取付けられた風車の円板部にあたる本計測用具の位置に切欠き部を設けた。該切欠き部に面して目盛りを表記して当接面から円板部の隔たりを計測できるようにした。
【発明の効果】
【００１２】
本計測用具は安価で誰にでも容易に且つ迅速に風車の取付き状態を確認できる又、風車の円板部と遊技盤面との隔たりを記録して図柄表示装置の変動回数を記録することによって風車と図柄表示装置の変動回数の係わりを明確にすることができる。該記録を基に風車の取付き状態を調節して図柄表示装置の変動回数の不均衡を是正する。これにより遊技客の変動回数不均衡による不満を解消することができる。
【発明を実施するための最良の形態】
【００１３】
パチンコ遊技機の各メーカが遊技機の遊技盤面に釘によって取付ける風車はほぼ同じ大きさと形状をしているので図1で風車を示す。図1（a）は遊技客側から見た風車の正面図で1は風車の円板部である。円板部の直径はほぼ30ｍｍを有している。円板部の中央に釘で遊技盤面に取付けるための貫通孔2が設けてある。
【００１４】
図1（b）は図1（a）の裏面図である。裏面中央から突出形成された細筒状の回転軸部3が有り、その中央に貫通孔2が有る。回転軸部3には放射状に延出する3枚の羽根4を備えている。
【００１５】
図1（c）は風車の側面図である。円板部1から遊技盤面側となる突出部の最先端までが17ｍｍ有る。突出部最先端の接面部19は使用頻度によって磨耗が進む。
【００１６】
風車は遊技盤面図1（d）14に貫通孔2を通した釘5によって回転自在に成るように緩やかに取付けられる。
【実施例】
【００１７】
請求項1の本発明「パチンコ遊技機風車高計測用具」の1例を図2で示した。本計測用具は竹及び木製又は、金属、非鉄金属類、プラスチック等の合成樹脂類を加工して作ることができる。
【００１８】
図2の（a）（c）で本計測用具の表裏の両面を成し、(b)は（a）（c）の側面図で本計測用具の厚さを示す。厚さは本計測用具に使用する材質によって任意に決めてよいが厚いと計測時に用具の安定がよい反面、風車近傍に遊技釘が密集している場所では遊技釘が障害となって計測が困難になる。そのためここでは2ｍｍとした。
【００１９】
本計測用具の全長は任意だが使い勝手から図2では100ｍｍとした。最大巾15ｍｍ、最小巾は目盛表記部12の位置で5ｍｍとしたが5ｍｍ以下でも良い。
【００２０】
遊技盤面には遊技釘の他、図柄表示装置の装飾類等、風車の取付き状態を計測するには障害となる部材が多く取付けられている。そうした障害物に対応して計測できるように本計測用具の両片8と9にそれぞれ奥行きの違った切欠き部13を設け両片に目盛表記部12を設けて計測できるようにした。
【００２１】
本計測用具の両片8、9は計測時に遊技盤面14と当接させる面である。7で表記した片にあっては当接面8の長方が7ｍｍを有している。
【００２２】
7表記の反対側10で表記した片にあっては当接面9の長方を10ｍｍとした。
当接面を長くすることにより7片側より安定した計測感が得られる。
【００２３】
8、9の当接面からそれぞれ遊技盤面に取付けられた風車の高さに合わせた位
置に切欠き部11を施し、切欠き部11に面して目盛表記部12を設けた。目盛は
当接面8、9からの隔たりを表すものである。
【００２４】
図3では請求項2であって図2の形状とは異なり平たい板の片側にのみ計測部を設けた本計測用具を図示した。図3（a）（b）（c）は当接面9に切欠き部13を設け風車の円板部1の高さに合わせた位置に切欠き部11を設け、該切欠き部11に面して目盛表記部12を施した。図3（a）（c）は表裏の両面を成し、（b）は側面図である。計測部の反対片に枢支孔17を設けた。
【００２５】
図3（d）では当接面9の長方が異なる本計測用具を枢支孔17で扇の要の要式に重合18した。このように重合18することにより本計測用具の使い勝手がより一層便利になる。当接面近傍の数字は当接面長方の長さを表記した。
【００２６】
図4（a）（b）は遊技盤面14に釘で取付けられた同一の風車である。
図4（a）は風車の左側から風車に沿わせて遊技盤面14に本計測用具の当接面9を宛がい風車の円板部1に目盛表記部12を接面させて風車の計測例を図示した。図4（b）においても同じく風車の右側からの計測例を図示した。
【００２７】
図4（a）（b）はいずれも風車の円板部が目盛表記部12で17ｍｍの高さを示しており遊技盤面14に対してほぼ平行に取付けられていると考えてよい。このような時には図4（c）で示すように鉛直方向から流下する遊技球16は左右にほぼ均等に振分けられて流下する確率が高いといえる。
【００２８】
又、遊技盤面に取付けられた風車が図5（a）(b)で示すように遊技盤面14と風車の円板部1の隔たりが平行を保ってないとき、鉛直方向から流下する遊技球は遊技盤面14と風車の円板部1の隔たりが大きい方へ多く流下する確率が高くなる。
図5（a）にあっては右側の隔たりが大きいので図5（c）で示すように右方向へ多くの遊技球が流下する確率が高くなる。
図5（b）にあっては左側の隔たりが大きいので図5（d）で示すように左方向へ多くの遊技球が流下する確率が高くなる。
【００２９】
風車を計測するに際しては先ず遊技盤面に取付けられた風車が回転自在に回るか指で回して確認する。自在に回らないときは釘の打付けを緩めるかそれでも回らないときは風車本体を交換する必要がある。
【００３０】
風車の回転状態を確認して回転に異常がなければ次に風車と遊技盤面14の接面部19の隙間状態を確認する図6。接面部19の隙間が大きいときには接面部19の磨耗の他に風車を取付けている釘5の緩み過ぎが考えられる。
釘の緩み過ぎは釘笠6及び風車の円板部1がパチンコ遊技機のガラス面に接触するため遊技機のガラス面に傷を付けたり又、風車の回転にムラを発生させる。
【００３１】
前記確認の後に図6で示すように片手で本計測用具の摘み持ち部を持ち遊技盤面14に当接部9を当接させて反対側の空いている手の指で風車の円板部1を遊技盤面14方向へ軽く押さえて左右を計測する又、必要に応じて上下の隔たりも計測する。
【図面の簡単な説明】
【００３２】
【図１】はパチンコ遊技機製造の各メーカが使用している一般的な風車の形態図と風車の取付け方を示した図である。
【図２】は両片に計測部を設けた本計測用具の両面図と側面図である。
【図３】は片側のみに計測部を設けた本計測用具の両面図と側面図及び枢支孔で重合し計測部を開いた状態図である。
【図４】は本計測用具の使用例図と遊技球の流下方向例図である。
【図５】は遊技盤面に取付けられた風車の傾きによる遊技球の流下方向を示す例図である。
【図６】は本計測用具の使用方法を示す図である。
【符号の説明】
【００３３】
1  円板部
2  貫通孔
3  回転軸部
4  羽根
5  釘
6  釘笠
7、7ｍｍ表記
8、8ｍｍ側当接面
9、10ｍｍ側当接面
10、10ｍｍ表記
11  羽根位置切欠き部
12  目盛表記部
13  当接面切欠き部
14  遊技盤面
15  摘み持ち部
16  遊技球
17  枢支孔
18  重合部
19  接面部
【図１】
2009207720.tif 000003
【図２】
2009207720.tif 000004
【図３】
2009207720.tif 000005
【図４】
2009207720.tif 000006
【図５】
2009207720.tif 000007
【図６】
2009207720.tif 000008